(57)【要約】【課題】位置情報を有さない携帯端末の所有者に、その利用者の目的や嗜好に合った地域情報を低コストで提供すること。【解決手段】携帯端末１と無線ＬＡＮ４を介して通信することが可能な無線基地局１００と、無線基地局１００をＬＡＮ２を介して収容する地域サーバ２００と、地域サーバ２００と広域ネットワーク３を介して接続される広域サーバ３００と、地域情報５０を格納する情報データベース２５０とを備え、携帯端末１が、無線基地局１００を介して地域情報５０を得ることが可能な移動体通信の情報提供システムであって、無線基地局１００は、無線基地局１００の位置情報１５を広域サーバ３００へ送信する手段を備え、広域サーバ３００は、識別情報を携帯端末１に送信する手段を備え、携帯端末１は、識別情報に対応する地域情報５０を情報データベース２５０にアクセスして閲覧する手段を備える。【選択図】      図１
2004289394.tif 000002
【特許請求の範囲】
【請求項１】
所定の無線通信規格にしたがった無線通信手段を有する携帯端末と、
前記携帯端末と前記無線通信規格にしたがって無線通信することが可能な無線基地局と、
前記無線基地局が設置される地域周辺の地域情報を格納する情報データベースを備え前記無線基地局と広域ネットワークを介して接続される広域サーバと、
を備え、前記携帯端末が、前記無線基地局を介して前記地域情報を得ることが可能な移動体通信の情報提供システムであって、
前記無線基地局は、前記携帯端末の前記無線通信手段による地域情報の提供要求を受信すると、前記無線基地局の位置情報を取得して前記提供要求に付加して前記広域サーバへ送信する手段を備え、
前記広域サーバは、
前記無線基地局の設置位置と前記地域情報を識別する識別情報を対応付けて格納する地域データベースと、
前記提供要求と前記位置情報を受信すると、前記位置情報に基づいて前記地域データベースから抽出した識別情報を前記携帯端末に送信する情報検索手段と、
を備え、
前記携帯端末は、受信した前記識別情報の中から所望の識別情報を選択し、選択した識別情報に対応する地域情報を前記情報データベースにアクセスして閲覧する閲覧手段を備えることを特徴とする移動体通信の情報提供システム。
【請求項２】
所定の無線通信規格にしたがった無線通信手段を有する携帯端末と、
前記携帯端末と前記無線通信規格にしたがって無線通信することが可能な無線基地局と、
前記無線基地局が設置される地域周辺の地域情報を格納する情報データベースを備え前記無線基地局と広域ネットワークを介して接続される広域サーバと、
を備え、前記携帯端末が、前記無線基地局を介して前記地域情報を得ることが可能な移動体通信の情報提供システムであって、
前記広域サーバは、
前記無線基地局の設置位置と前記地域情報を識別する識別情報を対応付けて格納する地域データベースと、
前記提供要求と前記位置情報を受信すると、前記位置情報に基づいて前記地域データベースから抽出した識別情報を前記携帯端末に送信する情報検索手段と、
を備え、
前記携帯端末は、受信した前記識別情報の中から所望の識別情報を選択し、選択した識別情報に対応する地域情報を前記情報データベースにアクセスして閲覧する閲覧手段を備えることを特徴とする移動体通信の情報提供システム。
【請求項３】
所定の無線通信規格にしたがった無線通信手段を有する携帯端末と、
前記携帯端末と前記無線通信規格にしたがって無線通信することが可能な無線基地局と、
前記無線基地局をＬＡＮを介して収容する地域サーバと、
前記地域サーバと広域ネットワークを介して接続される広域サーバと、
前記地域サーバまたは前記広域サーバ内に備えられ、前記無線基地局が設置される地域周辺の地域情報を格納する情報データベースと、
を備え、前記携帯端末が、前記無線基地局を介して前記地域情報を得ることが可能な移動体通信の情報提供システムであって、
前記無線基地局は、前記携帯端末の前記無線通信手段による地域情報の提供要求を受信すると、前記無線基地局の位置情報を取得して前記提供要求に付加して前記広域サーバへ送信する手段を備え、
前記広域サーバは、
前記無線基地局の設置位置と前記地域情報を識別する識別情報を対応付けて格納する地域データベースと、
前記提供要求と前記位置情報を受信すると、前記位置情報に基づいて前記地域データベースから抽出した識別情報を前記携帯端末に送信する情報検索手段と、
を備え、
前記携帯端末は、受信した前記識別情報の中から所望の識別情報を選択し、選択した識別情報に対応する地域情報を前記情報データベースにアクセスして閲覧する閲覧手段を備えることを特徴とする移動体通信の情報提供システム。
【請求項４】
所定の無線通信規格にしたがった無線通信手段を有する携帯端末と、
前記携帯端末と前記無線通信規格にしたがって無線通信することが可能な無線基地局と、
前記無線基地局をＬＡＮを介して収容する地域サーバと、
前記地域サーバと広域ネットワークを介して接続される広域サーバと、
前記地域サーバまたは前記広域サーバ内に備えられ、前記無線基地局が設置される地域周辺の地域情報を格納する情報データベースと、
を備え、前記携帯端末が、前記無線基地局を介して前記地域情報を得ることが可能な移動体通信の情報提供システムであって、
前記地域サーバは、前記携帯端末の前記無線通信手段による地域情報の提供要求を受信すると、前記無線基地局と位置情報とを対応付けした無線基地局位置情報から前記無線基地局の位置情報を抽出して前記提供要求に付加して前記広域サーバへ送信する手段を備え、
前記広域サーバは、
前記無線基地局の設置位置と前記地域情報を識別する識別情報を対応付けて格納する地域データベースと、
前記提供要求と前記位置情報を受信すると、前記位置情報に基づいて前記地域データベースから抽出した識別情報を前記携帯端末に送信する情報検索手段と、
を備え、
前記携帯端末は、受信した前記識別情報の中から所望の識別情報を選択し、選択した識別情報に対応する地域情報を前記情報データベースにアクセスして閲覧する閲覧手段を備えることを特徴とする移動体通信の情報提供システム。
【請求項５】
前記無線通信は、無線ＬＡＮ、ブルートゥースまたは赤外線通信のいずれかであることを特徴とする請求項１〜４のいずれか一つに記載の移動体通信の情報提供システム。
【請求項６】
前記提供要求は、条件を絞込むための検索要求をさらに含み、前記情報検索手段はさらに前記検索要求に基づいて検索を行うことを特徴とする請求項１〜５のいずれか一つに記載の移動体通信の情報提供システム。
【請求項７】
前記広域サーバは、前記地域情報への前記携帯端末によるアクセス履歴を足跡情報として格納する足跡データベースをさらに備え、前記情報検索手段はさらに前記足跡データベースに基づいて前記識別情報を抽出することを特徴とする請求項１〜６のいずれか一つに記載の移動体通信の情報提供システム。
【請求項８】
前記広域サーバは、前記地域情報にリンクされた地図情報を格納する地図データベースをさらに備え、前記情報検索手段はさらに足跡データベースから検索された前記地図データベースに基づいて前記識別情報を抽出することを特徴とする請求項１〜７のいずれか一つに記載の移動体通信の情報提供システム。
【請求項９】
前記無線基地局は複数であることを特徴とする請求項１〜８のいずれか一つに記載の移動体通信の情報提供システム。
【請求項１０】
前記広域ネットワークには複数の地域サーバが接続されることを特徴とする請求項３〜７のいずれか一つに記載の移動体通信の情報提供システム。
【請求項１１】
所定の無線通信規格にしたがった無線通信手段を有する携帯端末と、該携帯端末と無線通信を行う無線基地局と、該無線基地局に広域ネットワークを介して接続されるとともに前記無線基地局の設置位置近辺の地域情報を識別する識別情報を格納する広域サーバとを備える情報提供システムで、前記無線基地局が設置される地域周辺の地域情報を前記携帯端末に提供する移動体通信の情報提供方法であって、
前記携帯端末が、前記無線通信規格にしたがった無線通信によって前記無線基地局に前記地域情報の提供要求を送信する第１のステップと、
前記無線基地局が、前記提供要求を受信すると、該提供要求とともに自局の位置情報を付加して前記広域サーバに送信する第２のステップと、
前記広域サーバが、前記提供要求および前記位置情報に基づいて前記携帯端末の所望する情報を検索し、これを選択用アクセスデータとして前記携帯端末に送信する第３のステップと、
前記広域サーバが、前記携帯端末によって前記選択用アクセスデータ中の地域情報へのアクセス要求が実行されると、前記アクセス要求された地域情報を前記携帯端末に送信するとともに、前記アクセス要求された地域情報の前記携帯端末による足跡情報を前記広域サーバに格納する第４のステップと、
を含むことを特徴とする移動体通信の情報提供方法。
【請求項１２】
所定の無線通信規格にしたがった無線通信手段を有する携帯端末と、該携帯端末と無線通信を行う無線基地局と、該無線基地局に広域ネットワークを介して接続されるとともに前記無線基地局の設置位置近辺の地域情報を識別する識別情報を格納する広域サーバとを備える情報提供システムで、前記無線基地局が設置される地域周辺の地域情報を前記携帯端末に提供する移動体通信の情報提供方法であって、
前記携帯端末が、前記無線通信規格にしたがった無線通信によって前記無線基地局に前記地域情報の提供要求を送信する第１のステップと、
前記無線基地局が、前記広域ネットワークによって前記広域サーバに前記地域情報の提供要求を送信する第２のステップと、
前記広域サーバが、前記提供要求および前記無線基地局の位置情報に基づいて前記携帯端末の所望する情報を検索し、これを選択用アクセスデータとして前記携帯端末に送信する第３のステップと、
前記広域サーバが、前記携帯端末によって前記選択用アクセスデータ中の地域情報へのアクセス要求が実行されると、前記アクセス要求された地域情報を前記携帯端末に送信するとともに、前記アクセス要求された地域情報の前記携帯端末による足跡情報を前記広域サーバに格納する第４のステップと、
を含むことを特徴とする移動体通信の情報提供方法。
【請求項１３】
所定の無線通信規格にしたがった無線通信手段を有する携帯端末と、該携帯端末と無線通信を行う無線基地局をＬＡＮを介して収容するとともに前記無線基地局の設置位置近辺の地域情報を識別する識別情報を格納する地域サーバと、該地域サーバに広域ネットワークを介して接続される広域サーバとを備える情報提供システムで、前記無線基地局が設置される地域周辺の地域情報を前記携帯端末に提供する移動体通信の情報提供方法であって、
前記携帯端末が、前記無線通信規格にしたがった無線通信によって前記無線基地局に前記地域情報の提供要求を送信する第１のステップと、
前記無線基地局が、前記提供要求を受信すると、該提供要求とともに自局の位置情報を付加して前記広域サーバに送信する第２のステップと、
前記広域サーバが、前記提供要求および前記位置情報に基づいて前記携帯端末の所望する情報を検索し、これを選択用アクセスデータとして前記携帯端末に送信する第３のステップと、
前記地域サーバが、前記携帯端末によって前記選択用アクセスデータ中の地域情報へのアクセス要求が実行されると、前記アクセス要求された地域情報を前記携帯端末に送信するとともに、前記アクセス要求された地域情報の前記携帯端末による足跡情報を前記広域サーバに送信する第４のステップと、
を含むことを特徴とする移動体通信の情報提供方法。
【請求項１４】
所定の無線通信規格にしたがった無線通信手段を有する携帯端末と、該携帯端末と無線通信を行う無線基地局をＬＡＮを介して収容するとともに前記無線基地局の設置位置近辺の地域情報を識別する識別情報を格納する地域サーバと、該地域サーバに広域ネットワークを介して接続される広域サーバとを備える情報提供システムで、前記無線基地局が設置される地域周辺の地域情報を前記携帯端末に提供する移動体通信の情報提供方法であって、
前記携帯端末が、前記無線通信規格にしたがった無線通信によって前記無線基地局に前記地域情報の提供要求を送信し、前記無線基地局が、前記ＬＡＮによって前記地域サーバに前記地域情報の提供要求を送信する第１のステップと、
前記地域サーバが、前記提供要求を受信すると、該提供要求を送信した無線基地局の位置情報を取得して前記提供要求とともに前記広域サーバに送信する第２のステップと、
前記広域サーバが、前記提供要求および前記位置情報に基づいて前記携帯端末の所望する情報を検索し、これを選択用アクセスデータとして前記携帯端末に送信する第３のステップと、
前記地域サーバが、前記携帯端末によって前記選択用アクセスデータ中の地域情報へのアクセス要求が実行されると、前記アクセス要求された地域情報を前記携帯端末に送信するとともに、前記アクセス要求された地域情報の前記携帯端末による足跡情報を前記広域サーバに送信する第４のステップと、
を含むことを特徴とする移動体通信の情報提供方法。
【請求項１５】
前記提供要求は、前記携帯端末が望む条件を絞込むための検索要求を含み、前記第３のステップにおいて、前記広域サーバはさらに前記検索要求に基づいて検索し前記選択用アクセスデータを作成することを特徴とする請求項１１〜１４のいずれか一つに記載の移動体通信の情報提供方法。
【請求項１６】
前記第３のステップでは、前記広域サーバが前記携帯端末の前記足跡情報を有する場合には、さらに前記足跡情報に基づいて検索し、前記選択用アクセスデータを作成することを特徴とする請求項１１〜１５のいずれか一つに記載の移動体通信の情報提供方法。
【請求項１７】
前記広域サーバが送信する前記選択用アクセスデータは地図情報とインターネットアドレスを一体化したＧＵＩデータであることを特徴とする請求項１１〜１６のいずれか一つに記載の移動体通信の情報提供方法。
【請求項１８】
前記地域サーバが複数からなり前記指定アクセスデータに対応する地域情報が他の地域の地域サーバが管理する地域情報である場合、前記第３のステップでは、前記他の地域の地域サーバが管理する地域情報は広域ネットワークを介して前記携帯端末の位置する無線ＬＡＮ管内の地域サーバへ送信されることを特徴とする請求項１３〜１７のいずれか一つに記載の移動体通信の情報提供方法。
【発明の詳細な説明】
【０００１】
【発明の属する技術分野】
この発明は移動体通信の情報提供方法および移動体通信の情報提供システムに関するものであり、特に無線端末利用者の位置および足跡情報（アクセス履歴）に基づいて行う移動体通信の情報提供方法および情報提供システムに関するものである。
【０００２】
【従来の技術】
従来、店舗や施設等の広告やイベントなどの様々な情報は、新聞広告、チラシ等の印刷物や、ＴＶ、ラジオ等の放送広告によって提供されており、情報の伝達範囲は全国規模である場合や店頭規模の非常に限定されたものである場合など様々である。
【０００３】
しかし、これらの情報提供方法では、情報の提供対象者が不特定多数であるため、個人の趣味やライフスタイルが多様化している今日では、当該情報を必要としない人々へも情報が提供される。そのため、多くの不必要な情報により、利用者が本当に必要とする情報を収集することが困難となっている。また、不特定多数を対象とした印刷物や公共電波による情報提供方法は、情報提供者にとっては、高コストでありながら、情報を利用する人々の嗜好や活動に応じた情報を効率よく提供することができず、情報提供の効果が上がらない状況が発生する。さらに、情報提供者からの情報が情報利用者に伝達されるまでには時間を要することがほとんどで、特に地域を移動する情報利用者に対しタイムリーな情報提供が困難であった。そこで、このような問題点を解決するために以下のような方法が用いられている。
【０００４】
特許文献１に記載の広告配信方法では、携帯電話端末を所持している情報利用者の位置情報を特定するため、位置検出用サーバが携帯電話端末の備えるＧＰＳ（Ｇｌｏｂａｌ  Ｐｏｓｉｔｉｏｎｉｎｇ  Ｓｙｓｔｅｍ）受信機能を利用して携帯電話端末の位置を検出し、インターネットや公衆回線網を介して情報を配信する配信センタ内の配信サーバに携帯電話端末の位置情報を通知している。そして、配信センタ内では情報利用者に関する情報をあらかじめ記憶させているデータベースに基づいて、特定のエリアに位置する情報利用者に広告メッセージを配信するか否かを判断した後、広告メッセージを配信すると判断した場合は、配信センタから携帯電話端末へ情報利用者に関する情報に基づいて選択的に広告メッセージの配信を行っている。これにより、特定の時刻に特定のエリア内に移動してきた情報利用者にそのエリアに関するもので即時性を有する広告を情報利用者の嗜好に応じて提供することを可能としている。
【０００５】
特許文献２に記載の情報提供方法では、情報利用者（ユーザ）の携帯端末がブルートゥース規格に従った通信手段（以下、ブルートゥースという）のような無線ＬＡＮと携帯電話網のような広域無線ネットワークを利用した方法を開示している。まず、携帯端末は情報提供者（店舗側）によって設置されている無線サーバから、無線ＬＡＮを用いてその無線サーバに割り当てられた位置情報を受信する。つぎに、情報利用者はこの位置情報と情報利用者が要求する情報の検索条件を、広域無線ネットワークを用いて地域サーバに送信している。そして、地域サーバは情報利用者に位置情報を送信した情報提供者の広告情報と情報利用者が要求する情報の検索結果を情報利用者に送信している。これにより、情報提供者が広告情報を提供できるとともに、情報利用者が必要とする地域情報の検索結果を得ることを可能としている。
【０００６】
【特許文献１】
特開２００１−３５９１６６号公報（第１、３、４頁）
【特許文献２】
特開２００１−２２３７１２号公報（第１、１２頁）
【０００７】
【発明が解決しようとする課題】
しかしながら、特許文献１に記載の従来技術では、広告情報が広域インターネット網に接続されたデータベースから公衆回線網を介して送信されることから、利用頻度が高くなると利用料金が高くなり、広告提供のコストが高くなるという問題がある。また、ユーザの嗜好に関するデータや広告情報をあらかじめデータベースに登録しておく必要があるため情報の登録や更新に手間がかかることや、ユーザの嗜好の変化を即時に反映した情報の提供が困難であるという問題がある。さらに、携帯端末利用者の位置を特定するには、携帯端末がＧＰＳ機能を持つことを前提としており、ＧＰＳ機能のない携帯端末利用者は、携帯端末利用者の位置に応じた情報提供サービスを受けることができないといった問題がある。
【０００８】
また、特許文献２に記載の従来技術では、広告情報や地域情報が広域無線ネットワークを介して情報利用者へ送信されることから、利用頻度が高くなると利用料金が高くなり、広告提供のコストが高くなるという問題がある。また、情報利用者は必要とする地域情報とともに情報利用者にとっては不必要な広告も受け取る必要があるといった問題がある。
【０００９】
この発明は、上記に鑑みてなされたもので、位置情報を有さない携帯端末の所有者（移動体通信による情報利用者）に、その利用者の目的や嗜好に合った地域情報を低コストで提供可能な移動体通信の情報提供システムおよび移動体通信の情報提供方法を得ることを目的とする。
【００１０】
【課題を解決するための手段】
上述した課題を解決し、目的を達成するために、この発明にかかる移動体通信の情報提供システムおよび移動体通信の情報提供方法にあっては、所定の無線通信規格にしたがった無線通信手段を有する携帯端末と、前記携帯端末と前記無線通信規格にしたがって無線通信することが可能な無線基地局と、前記無線基地局が設置される地域周辺の地域情報を格納する情報データベースを備え前記無線基地局と広域ネットワークを介して接続される広域サーバと、を備え、前記携帯端末が、前記無線基地局を介して前記地域情報を得ることが可能な移動体通信の情報提供システムであって、前記無線基地局は、前記携帯端末の前記無線通信手段による地域情報の提供要求を受信すると、前記無線基地局の位置情報を取得して前記提供要求に付加して前記広域サーバへ送信する手段を備え、前記広域サーバは、前記無線基地局の設置位置と前記地域情報を識別する識別情報を対応付けて格納する地域データベースと、前記提供要求と前記位置情報を受信すると、前記位置情報に基づいて前記地域データベースから抽出した識別情報を前記携帯端末に送信する情報検索手段と、を備え、前記携帯端末は、受信した前記識別情報の中から所望の識別情報を選択し、選択した識別情報に対応する地域情報を前記情報データベースにアクセスして閲覧する閲覧手段を備えることを特徴とする。
【００１１】
この発明によれば、携帯端末が無線基地局を介して地域情報を得ることができるため、携帯端末は位置情報を有していなくても携帯端末の位置する地域周辺の地域情報を取得することができる。
【００１２】
【発明の実施の形態】
以下に添付図面を参照して、この発明にかかる移動体通信の情報提供システムおよび移動体通信の情報提供方法の好適な実施の形態を詳細に説明する。なお、これらの実施の形態によりこの発明が限定されるものではない。
【００１３】
実施の形態１．
図１〜８に従ってこの発明の実施の形態１について説明する。図１はこの発明の実施の形態１にかかる移動体通信の情報提供システムの概略を示す構成図である。移動体通信の情報提供システムは、インターネット等の広域ネットワーク３により接続された広域サーバ３００と地域サーバ２００で構成されている。
【００１４】
地域サーバ２００内には有線ＬＡＮ（Ｌｏｃａｌ  Ａｒｅａ  Ｎｅｔｗｏｒｋ）２等のネットワークで接続された無線基地局１００があり、この無線基地局１００と移動体通信の情報利用者が所有する携帯端末１が無線通信を行うことの出来る領域が無線ＬＡＮ管内２１０となる。ここでの無線通信とは、携帯電話通信網等の広域無線ネットワーク（公衆回線網）ではなく限定された狭い範囲内で無線通信を行うことを可能とする例えば無線ＬＡＮ４等である。
【００１５】
携帯端末１は例えば携帯電話端末に無線ＬＡＮ４の通信インタフェースを備えるもので、無線基地局１００の無線ＬＡＮ管内２１０に移動すると無線基地局１００との間で無線ＬＡＮ４を介してデータ通信を行うことが可能となり、無線基地局１００との間で文字や画像といったデータの送受信を行うことができる。なお、この他に携帯端末１としては、携帯型パーソナルコンピュータ、ＰＤＡ（Ｐｅｒｓｏｎａｌ  Ｄｉｇｉｔａｌ  Ａｓｓｉｓｔａｎｔ）またはカーナビゲーションシステムに無線ＬＡＮインタフェースを備えたものであっても良い。
【００１６】
図２はこの発明の実施の形態１にかかる無線基地局１００の構成の一例を示す概略図である。無線基地局１００は無線ＬＡＮインタフェースを備えた無線ＬＡＮ通信手段１０１と有線ＬＡＮインタフェースを備えた有線ＬＡＮ通信手段１０２を備えており、無線ＬＡＮ通信手段１０１を用いて携帯端末１とデータ通信を行うとともに、有線ＬＡＮ通信手段１０２を用いて地域サーバ２００とデータ通信を行う。
【００１７】
無線基地局１００は携帯端末１から無線ＬＡＮ４を介して送信される地域情報５０（周辺地域の店舗や施設の情報）の提供要求を無線ＬＡＮ通信手段１０１によって受信し、有線ＬＡＮ通信手段１０２を用いてこの地域情報５０の提供要求を地域サーバ２００へ送信する。なお、地域情報５０の提供要求には情報提供の要求に加えて携帯端末１の所有者が望む条件を絞り込むための検索要求が含まれていてもよい。この検索要求はキーワード検索を行うためのキーワードによるもであってもよいし、地域情報５０を過去に利用（アクセス）した履歴（後述する足跡情報１０）に基づくものであってもよい。
【００１８】
また、無線基地局１００はＧＰＳ受信機能１０３および位置検出付加手段１０４を備えている。ＧＰＳ受信機能１０３は無線基地局１００がどこに設置されているかの物理的な位置情報１５を検出し、位置検出付加手段１０４は携帯端末１からの地域情報５０の提供要求に位置情報１５を付加して地域サーバ２００へ送信する。これによって、各携帯端末１がどこの場所に居るのかを示す位置情報１５を取得する手段がなくても地域サーバ２００は携帯端末１の物理的な位置を無線基地局の位置情報１５として認識することができる。さらに、無線基地局１００の移動やリプレース等があった場合でも無線基地局１００の位置情報１５の更新が不要となるため無線基地局１００のメンテナンスが容易となる。
【００１９】
さらに、無線基地局１００は、後述するように地域サーバ２００から送られてきた選択用アクセスデータ６０および地域情報５０を有線ＬＡＮ通信手段１０２で受信し、無線ＬＡＮ通信手段１０１から無線ＬＡＮ４を介して携帯端末１へ送信する働きをする。
【００２０】
このようにして無線基地局１００は携帯端末１と地域サーバ２００の間のデータ送受信を行うとともに、無線基地局１００自らの位置情報１５を検出し、これを携帯端末１の位置情報１５として地域サーバ２００へ送信する働きをしている。
【００２１】
地域サーバ２００は、有線ＬＡＮ２を用いて無線基地局１００とデータ通信を行い、広域ネットワーク３を用いて広域サーバ３００とデータ通信を行う。また、地域サーバ２００は、情報提供者によって提供されている地域情報５０を格納する働きをする情報データベース（以下、情報ＤＢという）２５０を備えている。地域情報５０には、例えば地域情報５０の提供者がホテルである場合にはホテル名、ホテルの地図、ホテルまでの交通手段、ホテルの概要等の情報が含まれており、例えばインターネットで利用されるｗｅｂページとして構成されている。そして、携帯端末１から無線基地局１００を介して地域サーバ２００へ地域情報５０の提供要求がなされた場合、地域サーバ２００は地域情報５０の提供要求とともに先述した無線基地局１００の位置情報１５を広域サーバ３００へ送信する。さらに、地域サーバ２００は広域サーバ３００から送信される後述する選択用アクセスデータ６０を無線基地局１００を介して携帯端末１に送信する。なお、この実施の形態１では携帯端末１と無線基地局１００の間の無線通信は微弱な電波（光）による通信であるので携帯端末１の位置がそのまま無線基地局１００の位置とみなすことができる。
【００２２】
また、地域サーバ２００が選択用アクセスデータ６０から携帯端末１によって選択された後述する取得希望地域情報（ホテル名の識別情報等）を無線基地局１００を介して受信した場合、地域サーバ２００は情報ＤＢ２５０内から取得希望地域情報に基づいて地域情報５０を抽出し、無線基地局１００を介して携帯端末１へ送信する。さらに、この携帯端末１による地域情報５０を取得するための地域サーバ２００へのアクセス履歴を足跡情報１０として、広域サーバ３００へ送信する。
【００２３】
広域サーバ３００は、地域データベース（以下、地域ＤＢという）３０１、足跡データベース（以下、足跡ＤＢという）３０２、地図データベース（以下、地図ＤＢという）３０３および情報検索部３０４で構成され、インターネット等の広域ネットワーク３によって地域サーバ２００に接続されている。地域ＤＢ３０１は、情報ＤＢ２５０内に格納されている地域（施設）の地域情報５０を識別するためのインターネットアドレス（ＵＲＬ（Ｕｎｉｆｏｒｍ  ＲｅｓｏｕｒｃｅＬｏｃａｔｏｒ））等の識別情報を格納する。足跡ＤＢ３０２は、地域サーバ２００から送信される携帯端末１の足跡情報１０を携帯端末１ごとに格納する。地図ＤＢ３０３は、地域サーバ２００が無線基地局１００を介して携帯端末１に地域情報５０を提供する際、地域情報５０の提供者の地図上の位置と地域情報５０とを関連付けした地図情報を付加するための地図データを格納する。情報検索部３０４は携帯端末の位置情報１５、携帯端末からの検索要求に従って、地域ＤＢ３０１、足跡ＤＢ３０２および地図ＤＢ３０３の中から適当なデータを検索し、地域情報５０にアクセスするための地図と一体化したＧＵＩ（Ｇｒａｐｈｉｃａｌ  Ｕｓｅｒ  Ｉｎｔｅｒｆａｃｅ）データを作成する。
【００２４】
図３はこの発明の実施の形態１にかかる足跡情報１０の一例を示した図である。足跡情報１０は、携帯端末１ごとに割り当てられた端末識別子１１、携帯端末１が地域サーバ２００の情報ＤＢ２５０から地域情報５０を入手した日時１２、ホテルやレストラン等を特定するために施設ごとに割り当てられた地域識別子１３を必須要素として構成されている。そして、オプション要素としてホテル名やレストラン名を表す地域名１４、ホテルやレストラン等の施設が位置する最近辺の無線基地局１００の位置情報１５、地域情報５０をインターネットを介して取得するためのインターネットアドレスであるＵＲＬ１６、施設の概要を示す地域情報の概要１７等を必要に応じて付加させたデータ構造をしている。なお、オプション要素は地域サーバ２００で付加されるものであり、位置情報１５は無線基地局１００が備えるＧＰＳ受信機能１０３および位置検出付加手段１０４によって得られた無線基地局１００の緯度および経度によって表される。また、足跡情報１０に付加された地域情報の概要１７は広域サーバ３００の情報検索部３０４が検索による絞込みを行うときに参照される情報である。また、足跡情報１０は顧客管理等に利用して情報提供の効率化を高めることもできる情報である。
【００２５】
図４はこの発明の実施の形態１にかかる地域ＤＢ３０１内に記憶される情報の一例を示す図である。地域ＤＢ３０１はインターネット等によって広域サーバ３００に接続されている地域サーバ２００が管轄する地域に関する情報を地域ごとに格納している。地域ＤＢ３０１内の情報としては、地域識別子１３、地域名１４、施設等（無線基地局１００）の位置情報１５、ＵＲＬ１６、地域情報の概要１７が格納されており、情報検索部３０４による検索時に用いられる。なお、地域ＤＢ３０１の情報としては地域名１４を識別することができればよく、これらの各データ要素は足跡情報１０の構成要素と同じ構成となっているため、足跡情報１０に地域名１４や位置情報１５等のオプション要素が付加されている場合には地域サーバ２００から送信される足跡情報１０をもとに地域ＤＢ３０１を構築することが可能である。さらに、本実施の形態１では地域名１４としてホテル名とレストラン名が示されているが、この他の店舗や公共施設等についても同様に地域ＤＢ３０１に格納することができる。
【００２６】
図５はこの発明の実施の形態１にかかる足跡ＤＢ３０２内に記憶される足跡情報１０の一例を示す図である。足跡ＤＢ３０２は、携帯端末１が地域情報５０を取得するため地域サーバ２００の情報ＤＢ２５０にアクセスした履歴を携帯端末１ごとに格納している。足跡ＤＢ３０２内の情報には、端末識別子１１、携帯端末１が地域サーバ２００の情報ＤＢにアクセスした日時１２、地域識別子１３等が格納されており、情報検索部３０４による検索時に用いられる。また、これらの各データ要素は足跡情報１０の構成要素と同じ構成となっており、地域サーバ２００から送信される足跡情報１０をもとに足跡ＤＢ３０２を構築することも可能である。さらに、足跡ＤＢ３０２をもとに地域情報５０のアクセスランキングを集計し、携帯端末１の所有者に厳選した情報を提供することも可能となる。
【００２７】
図６はこの発明の実施の形態１にかかる選択用アクセスデータ６０の一例を示した図である。選択用アクセスデータ６０は、広域サーバ３００内の情報検索部３０４が無線基地局１００の位置情報１５、携帯端末１が要求する検索要求に従い、広域サーバ３００内の地域ＤＢ３０１、足跡ＤＢ３０２、地図ＤＢ３０３の中から携帯端末１の提供要求に適当なデータを検索して、地域情報５０にアクセスするための地図と一体化したＧＵＩデータを作成することによって得られる。このＧＵＩデータは、地図ＤＢ３０３に基づく検索を行う際、地図ＤＢ３０３によって提供される地図上に示された識別情報（後述するマーク２０）のうち、例えば足跡ＤＢ３０２に基づいて検索された識別情報のみ地図上に残し他の識別情報を削除することにより得られる。
【００２８】
ここでは、携帯端末１の所有者が、例えば現在位置する地域の近隣でこれまで利用した（情報ＤＢ２５０にアクセスした）ことのあるホテルとレストランの一覧情報を要求した場合に広域サーバ３００から地域サーバ２００と無線基地局１００を介して携帯端末１に送信される情報の一例を示しており、この送信されたデータが携帯端末１の画面に表示された状態を表している。画面上部には携帯端末１の所有者が現在位置する地域の近隣の地図が表され、この地図内でこれまでに利用したことのあるホテルおよびレストランの地域情報にリンクしたマーク２０を、それぞれの地図上に対応した位置にポインタとして関連付けて表している。
【００２９】
これにより携帯端末１の所有者は、ホテル等の地理的な配置を視覚的に把握したうえで携帯端末１の所有者の目的、地理または交通等を考慮した地域情報５０の選択を容易に行うことが可能となる。画面下部には地図上のマーク２０に対応したホテル等のリストが表示されており、例えば地域識別子１３、地域名１４、地域情報の概要１７で構成されている。これらの表示データは広域サーバ３００により携帯端末１の所有者が所望のデータを得るための選択用アクセスデータとして作成されたものであり、携帯端末の所有者は所望の地域（施設）情報を入手するため各地域識別子１３または地域名１４を選択するとそのリンク先の地域情報５０にアクセスされ、その地域情報５０を格納している地域サーバ２００はその地域情報５０を情報ＤＢ２５０から無線基地局１００を介して携帯端末１に送信する。なお、携帯端末１の所有者への情報提供の際、クーポン配信等を同時に行っても良い。
【００３０】
つぎに、この発明の実施の形態１にかかる移動体通信の情報提供方法について説明する。図７はこの発明の実施の形態１にかかる移動体通信の情報提供方法の動作処理を示すフローチャートである。
【００３１】
情報利用者である携帯端末１の所有者が無線ＬＡＮ管内２１０に入ると、携帯端末１の所有者は移動体通信の情報提供システムを利用することが可能となる。まず、携帯端末１の所有者は無線基地局１００に対し無線ＬＡＮ４を用いて地域情報５０の提供要求を行う（ステップＳ１０）。携帯端末１の所有者自らが必要とする情報に絞って地域情報５０を取得するため、ここでの地域情報５０の提供要求にはキーワード検索等の検索要求が含まれていてもよい。無線基地局１００は地域情報５０の提供要求を受信した後、地域サーバ２００に対して有線ＬＡＮ２を用いて地域情報５０の提供要求とともに、ＧＰＳ受信機能１０３により検出した無線基地局１００の位置情報１５を地域サーバ２００へ送信する（ステップＳ２０）。つぎに、地域サーバ２００は無線基地局１００からの地域情報５０の提供要求と位置情報１５を受信した後、広域サーバ３００に対して広域ネットワーク３を介して地域情報５０の提供要求と位置情報１５を送信する（ステップＳ３０）。広域サーバ３００は地域サーバ２００から地域情報５０の提供要求および位置情報１５を受信する。そして、地域情報５０の提供要求に検索要求が含まれている場合、広域サーバ３００内の情報検索部３０４は無線基地局１００によって付加された無線基地局１００の位置情報（携帯端末１の位置情報）１５、携帯端末１が要求する検索要求に従い、広域サーバ３００内の地域ＤＢ３０１、足跡ＤＢ３０２、地図ＤＢ３０３の中から携帯端末１の所有者に適当なデータを検索して、地域情報５０にアクセスするための地図と一体化したＧＵＩデータを携帯端末１の画面表示データとして使用できるよう作成し、これを選択用アクセスデータとする。そして、広域サーバ３００は地域サーバ２００へこの選択用アクセスデータ６０を送信し、地域サーバ２００は無線基地局１００を介してこの選択用アクセスデータ６０を携帯端末１に送信する（ステップＳ４０）。携帯端末１の所有者はこの選択用アクセスデータ６０より自らが必要とする情報を選択し、これを取得希望地域情報として無線基地局１００を介して地域サーバ２００へ送信する。（ステップＳ５０）。地域サーバ２００はこの取得希望地域情報に対応する地域情報５０を情報ＤＢ２５０より選択して抽出し無線基地局１００を介して携帯端末１に送信する（ステップＳ６０）。携帯端末１から地域サーバ２００の情報ＤＢ２５０が格納している地域情報５０へアクセスされたので、地域サーバ２００は携帯端末１がどの地域情報５０にアクセスしたかを示す情報を足跡情報１０として、これを広域サーバ３００へ送信する（ステップＳ７０）。広域サーバ３００は足跡情報１０から端末識別子１１や地域識別子１３を読み取り、足跡ＤＢ３０２に蓄積する。
【００３２】
図８はこの発明の実施の形態１にかかる移動体通信の情報提供システムの概略を示す構成図であり、１つの地域サーバ２０１に対し複数の無線基地局１００を有線ＬＡＮ２を介して接続している。これにより、無線ＬＡＮ管内２１１ａ，２１１ｂまたはその近傍の地域情報５０は地域サーバ２０１内にある１つの情報ＤＢ２５１に格納されるため、１つの地域サーバ２０１に対する無線ＬＡＮ管内が拡大し、携帯端末１が無線基地局１００と通信できるエリアが広がることとなる。さらに、広域ネットワーク３を介して広域サーバ３００と接続される地域サーバが複数で構成されている。これにより、携帯端末１の所有者は自らの位置する例えば無線ＬＡＮ管内２１１ａと有線ＬＡＮ２によって接続されている地域サーバ２０１以外の他の地域サーバ２０２が有する情報ＤＢ２５２内の地域情報５０を取得することが可能となる。
【００３３】
例えば、無線ＬＡＮ管内２１１ａに位置する携帯端末１の所有者が、地域サーバ２０２の管理する情報ＤＢ２５２が有する地域情報５０（無線ＬＡＮ管内２１２またはその近傍の地域情報）を必要とする場合について説明する。携帯端末の所有者は所望の地域（施設）情報を入手するため各地域識別子１３または地域名１４を選択するとそのリンク先の地域情報５０にアクセスされ、その地域情報５０を格納している地域サーバ２０２はその地域情報５０を情報ＤＢ２５２から広域ネットワーク３、地域サーバ２０１、無線基地局１００を介して携帯端末１に送信する。地域サーバ２０２の情報ＤＢ２５２が格納している地域情報５０が広域ネットワーク３，地域サーバ２０１および無線基地局１００を介して携帯端末１へ送信された場合、地域サーバ２０２から携帯端末１に送信した地域情報５０を携帯端末１が地域サーバにアクセスした足跡情報１０として、これを広域サーバ３００へ送信しておく。なお、この足跡情報１０は地域サーバ２０１が広域サーバ３００へ送信してもよい。広域サーバ３００は足跡情報１０から端末識別子１１や地域識別子１３を読み取り、足跡ＤＢ３０２に蓄積しておく。なお、携帯端末１はインターネット等によって地域サーバ２０２の情報ＤＢ２５２から直接地域情報５０を入手しても良い。ただしこの場合、携帯端末１はインターネットを利用する機能を備えていることが必要となる。
【００３４】
なお、本実施の形態１においては携帯端末１と無線基地局１００の通信手段の一例として無線ＬＡＮ４を利用する場合について説明したが、通信手段はこれに限定されるものではなくブルートゥースや赤外線通信のような通信手段を用いても同様の効果を得ることができる。
【００３５】
また、無線基地局１００がＧＰＳ受信機能１０３を有しない場合であっても、無線基地局１００の位置情報１５を予め地域サーバ２００へ入力しておくことによって、携帯端末１は位置情報１５を取得する手段が不要となる。この場合、地域サーバ２００は地域情報５０の提供要求を送信してきた無線基地局１００を識別し、地域サーバ２００が地域情報５０の提供要求に無線基地局１００の位置情報を付加して広域サーバ３００に送信する。
【００３６】
このように実施の形態１によれば、携帯端末１が位置情報１５を有していなくても地域サーバ２００がインターネット等に接続されているためこれを利用した地域情報５０を取得することが可能となる。また、情報提供者は携帯端末１の所有者ごとに足跡情報１０（地域情報５０へのアクセス履歴）の蓄積された足跡ＤＢ３０２、地域ごとの位置情報１５等を格納した地域ＤＢ３０１、携帯端末１の位置情報１５または、これと携帯端末１の所有者からの検索要求を活用した絞込み検索を行うことにより各利用者のこれまでの地域利用状況や嗜好を反映した地域（地図）情報を提供することが可能となる。また、無線ＬＡＮ４とインターネットを併用するため情報提供および情報利用（入手）の通信コストが安くなる。
【００３７】
実施の形態２．
図９を用いてこの発明の実施の形態２について説明する。図９はこの発明の実施の形態２にかかる移動体通信の情報提供システムの概略を示す構成図であり、図９の各構成要素のうち図１に示す実施の形態１の移動体通信の情報提供システムと同一機能を達成する構成要素については同一番号を付しており、重複する説明は省略する。
【００３８】
実施の形態２においては地域情報５０を格納した情報ＤＢ２５３を広域サーバ３００により管理しており、これによって無線基地局１００が管理する地域情報５０を広域サーバ３００で一括して管理と提供することを可能としている。このような構成とすることで無線基地局１００は広域ネットワーク３を介して広域サーバ３００と直接送受信することが可能となり、地域サーバは不要となる。
【００３９】
まず、携帯端末１の所有者は無線基地局１００に対し無線ＬＡＮ４を用いて地域情報５０の提供要求を行う。そして、無線基地局１００は地域情報５０の提供要求を受信した後、有線ＬＡＮ２や広域ネットワーク３を用いて地域情報５０の提供要求とともに、ＧＰＳ受信機能１０３により検出した無線基地局１００の位置情報１５をサーバ２００へ送信する。広域サーバ３００は地域サーバ２００から地域情報５０の提供要求および位置情報１５を受信する。そして、広域サーバ３００は広域ネットワーク３，有線ＬＡＮ２，無線基地局１００および無線ＬＡＮ４を介して選択用アクセスデータを携帯端末１に送信する。携帯端末１の所有者はこの選択用アクセスデータ６０より自らが必要とする情報を選択し、これを取得希望地域情報として無線ＬＡＮ４，無線基地局１００，有線ＬＡＮおよび広域ネットワーク３を介して広域サーバ３００へ送信する。広域サーバ３００はこの取得希望地域情報に対応する地域情報５０を情報ＤＢ２５３より広域ネットワーク３，有線ＬＡＮ２，無線基地局１００および無線ＬＡＮ４を介して携帯端末１に送信する。携帯端末１から広域サーバ３００の情報ＤＢ２５３が格納している地域情報５０へアクセスがされた場合、地域サーバ２００は携帯端末１がどの地域情報５０にアクセスしたかを示す情報を足跡情報１０として、足跡ＤＢ３０２に蓄積しておく。
【００４０】
このように実施の形態２は、地域情報５０を格納した情報ＤＢ２５３を広域サーバ３００により管理するようにしており、これによって全地域に関する地域情報５０を広域サーバ３００で一括して管理と提供することを可能としてため、サーバの維持や管理が簡単になる。
【００４１】
【発明の効果】
以上説明したとおり、この発明によれば、無線ＬＡＮ等の限定された狭い範囲内で通信を行う無線通信とインターネット等の広域ネットワークを併用して情報提供者から情報利用者へ情報を提供するため、携帯端末の所有者（移動体通信の情報利用者）に、携帯端末の所有者の目的や嗜好に合った地域情報を低コストで提供可能であるという効果を奏する。
【図面の簡単な説明】
【図１】この発明の実施の形態１にかかる移動体通信の情報提供システムの概略を示す構成図である。
【図２】この発明の実施の形態１にかかる無線基地局の構成の一例を示す概略図である。
【図３】この発明の実施の形態１にかかる足跡情報の一例を示した図である。
【図４】この発明の実施の形態１にかかる地域ＤＢ内に記憶される情報の一例を示す図である。
【図５】この発明の実施の形態１にかかる足跡ＤＢ内に記憶される情報の一例を示す図である。
【図６】この発明の実施の形態１にかかる地域情報の一例を示した図である。
【図７】この発明の実施の形態１にかかる移動体通信の情報提供方法のフローチャートである。
【図８】図８はこの発明の実施の形態１にかかる移動体通信の情報提供システムの概略を示す構成図である。
【図９】図９はこの発明の実施の形態２にかかる移動体通信の情報提供システムの概略を示す構成図である。
【符号の説明】
１  携帯端末、２  有線ＬＡＮ、３  広域ネットワーク、４  無線ＬＡＮ、１０  足跡情報，１１  端末識別子，１２  日時情報、１３  地域識別子、１４  地域名、１５  位置情報、１６  ＵＲＬ、１７  地域情報の概要、２０  マーク、５０  地域情報、６０  選択用アクセスデータ、１００  無線基地局、１０１無線ＬＡＮ通信手段、１０２  有線ＬＡＮ通信手段、１０３  ＧＰＳ受信機能、１０４  位置検出付加手段、２００，２０１，２０２  地域サーバ、２１０，２１１ａ，２１１ｂ，２１２  無線ＬＡＮ管内、２５０，２５１，２５２，２５３  情報ＤＢ、３００  広域サーバ、３０１  地域ＤＢ、３０２  足跡ＤＢ、３０３  地図ＤＢ、３０４  情報検索部。
【図１】
2004289394.tif 000003
【図２】
2004289394.tif 000004
【図３】
2004289394.tif 000005
【図４】
2004289394.tif 000006
【図５】
2004289394.tif 000007
【図６】
2004289394.tif 000008
【図７】
2004289394.tif 000009
【図８】
2004289394.tif 000010
【図９】
2004289394.tif 000011